【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
少なくとも１つのメタデータサーバ及びプロセッサを含むコンピュータによって、インタフェースを生成するために使用可能な媒体項目と関連付けられたメタデータを処理するための方法であって、前記方法が、
前記少なくとも１つのメタデータサーバによって、少なくとも２つのソースからメタデータを受信する段階と、
処理されたメタデータを生成するために、前記プロセッサによって、前記受信されたメタデータを処理する段階と、
前記少なくとも１つのメタデータサーバによって、前記処理されたメタデータ分配する段階とを含み、
前記処理する段階が、前記受信されたメタデータに基づいて新しいメタデータを合成する段階を含む
ことを特徴とする方法。
【請求項２】
前記合成する段階が、
前記合成された新しいメタデータを生成するために、前記少なくとも２つのソースから受信された本質的に異なるメタデータの双方向性のリンクを生成する段階を含む
ことを特徴とする請求項１に記載の方法。
【請求項３】
前記メタデータを受信する段階が、
第１のサービスプロバイダ及び前記第１のサービスプロバイダとは異なる第２のサービスプロバイダからメタデータを受信する段階を更に含む
ことを特徴とする請求項１に記載の方法。
【請求項４】
前記処理する段階が、
前記受信されたメタデータにおける少なくとも１つのエラーを識別する段階と、
前記受信されたメタデータにおける前記少なくとも１つのエラーを訂正する段階と
を更に含むことを特徴とする請求項１に記載の方法。
【請求項５】
前記少なくとも１つのエラーを訂正する段階が、
前記受信されたメタデータを検証する段階を含む
ことを特徴とする請求項４に記載の方法。
【請求項６】
前記受信されたメタデータを検証する前記段階が、
前記受信されたメタデータにおける前記少なくとも１つのエラーが矛盾を含むことを判定する段階と、
前記矛盾を捕えて訂正するために、複数のソース及び慣習経験則を使用して、前記受信されたメタデータにおける前記矛盾を訂正する段階と
を含むことを特徴とする請求項５に記載の方法。
【請求項７】
前記少なくとも１つのエラーを訂正する段階が、
前記受信されたメタデータ、及び以前に保存されたメタデータのリポジトリに関して、近似適合性演算を実行する段階を含む
ことを特徴とする請求項４に記載の方法。
【請求項８】
前記処理する段階が、
前記少なくとも２つのソースが提供する、１つの媒体項目と関連付けられたメタデータを、メタデータの１つのセットに割り当てる段階を更に含む
ことを特徴とする請求項１に記載の方法。
【請求項９】
前記処理する段階が、
規則のセットに基づいて前記受信されたメタデータを修正する段階を更に含む
ことを特徴とする請求項１に記載の方法。
【請求項１０】
前記受信されたメタデータ情報の間にリンクを生成する段階と、
前記受信されたメタデータと前記リンクの内の少なくとも１つを使用して複数の画面テンプレートを形成する段階と、
前記複数の画面テンプレート、前記リンク、及び前記メタデータの内の少なくとも１つを含む処理されたメタデータを複数の異なるクライアント装置に分配する段階と
を更に含むことを特徴とする請求項１に記載の方法。
【請求項１１】
前記メタデータ情報を受信する前記段階が、
フィルタ処理されたメタデータを生成するために、関連性と正確度に関して前記受信されたメタデータを評価する段階と、
前記評価する段階の結果に基づいて、前記評価されたメタデータを選択的にデータベースに保存する段階と
を更に含むことを特徴とする請求項１に記載の方法。
【請求項１２】
前記処理されたメタデータを分配する前記段階が、
処理されたメタデータの第１のセットを、機能の第１のセットを有するクライアント装置の第１のセットに分配すると共に、処理されたメタデータの第２のセットを、機能の第２のセットを有するクライアント装置の第２のセットに分配する段階を更に含む
ことを特徴とする請求項１に記載の方法。
【請求項１３】
それぞれ前記処理されたメタデータの第１のセットと前記処理されたメタデータの第２のセットに基づいて、前記クライアント装置の第１のセットと前記クライアント装置の第２のセットの両方において同一の表示用の画面表示を生成する段階を更に含む
ことを特徴とする請求項１２に記載の方法。
【請求項１４】
媒体項目と関連付けられたメタデータを処理するためのシステムであって、前記システムが、
少なくとも２つのメタデータソースから、複数のフィールドを有する少なくとも１つのメタデータセットを受信するように構成された少なくとも１つのメタデータサーバと、
前記少なくとも１つのメタデータサーバと結合されると共に、処理されたメタデータを生成するように構成されたプロセッサとを備え、
前記少なくとも１つのメタデータサーバが、更に、前記処理されたメタデータを分配するように構成されると共に、
メタデータを処理することが、前記受信されたメタデータに基づいて新しいメタデータを合成することを含む
ことを特徴とするシステム。
【請求項１５】
前記処理されたメタデータを保存するためのリポジトリと
前記処理されたメタデータを分配するために前記少なくとも１つのメタデータサーバに接続される複数の分配サーバと
を更に備えることを特徴とする請求項１４に記載のシステム。
【請求項１６】
前記プロセッサが、更に、前記リポジトリに保存されたメタデータを結合してリンクすると共に、リンクされた処理されたメタデータを集合的に生成するために、前記メタデータを使用して画面テンプレートを生成するように構成され、
前記少なくとも１つのメタデータサーバが、更に、前記リンクされた処理されたメタデータを複数のクライアント装置に分配するように構成される
ことを特徴とする請求項１５に記載のシステム。
【請求項１７】
前記プロセッサが、更に、前記合成された新しいメタデータを生成するために、前記少なくとも２つのソースから受信された本質的に異なるメタデータの双方向性のリンクを生成するように構成される
ことを特徴とする請求項１４に記載のシステム。
【請求項１８】
前記プロセッサが、更に、第１のサービスプロバイダ及び前記第１のサービスプロバイダとは異なる第２のサービスプロバイダからメタデータを受信するように構成される
ことを特徴とする請求項１４に記載のシステム。
【請求項１９】
前記プロセッサが、更に、前記受信されたメタデータにおける少なくとも１つのエラーを識別すると共に、前記受信されたメタデータにおける前記少なくとも１つのエラーを訂正するように構成される
ことを特徴とする請求項１４に記載のシステム。
【請求項２０】
前記プロセッサが、更に、少なくとも１つのエラーを訂正する場合に、前記受信されたメタデータを検証するように構成される
ことを特徴とする請求項１９に記載のシステム。
【請求項２１】
前記プロセッサが、更に、前記受信されたメタデータを検証する場合に、前記受信されたメタデータにおける前記少なくとも１つのエラーが矛盾を含むことを判定すると共に、前記矛盾を捕えて訂正するために、複数のソース及び慣習経験則を使用して、前記受信されたメタデータにおける前記矛盾を訂正するように構成される
ことを特徴とする請求項２０に記載のシステム。
【請求項２２】
前記プロセッサが、更に、少なくとも１つのエラーを訂正する場合に、前記受信されたメタデータ、及び以前に保存されたメタデータのリポジトリに関して、近似適合性演算を実行するように構成される
ことを特徴とする請求項１９に記載のシステム。
【請求項２３】
前記プロセッサが、更に、少なくとも２つのソースが提供する、１つの媒体項目と関連付けられた前記受信されたメタデータを、メタデータの１つのセットに割り当てるように構成される
ことを特徴とする請求項１４に記載のシステム。
【請求項２４】
前記プロセッサが、更に、規則のセットに基づいて前記受信されたメタデータを修正するように構成される
ことを特徴とする請求項１４に記載のシステム。
【請求項２５】
前記プロセッサが、更に、前記受信されたメタデータ情報の間にリンクを生成し、前記受信されたメタデータと前記リンクの内の少なくとも１つを使用して複数の画面テンプレートを形成すると共に、前記複数の画面テンプレート、前記リンク、及び前記メタデータの内の少なくとも１つを含む処理されたメタデータを複数の異なるクライアント装置に分配するように構成される
ことを特徴とする請求項１４に記載のシステム。
【請求項２６】
前記プロセッサが、更に、フィルタ処理されたメタデータを生成するために、関連性と正確度に関して前記メタデータを評価すると共に、関連性と正確度に関する前記メタデータの前記評価の結果に基づいて、前記メタデータを選択的にデータベースに保存するように構成される
ことを特徴とする請求項１４に記載のシステム。
【請求項２７】
前記少なくとも１つのメタデータサーバが、更に、処理されたメタデータの第１のセットを、機能の第１のセットを有するクライアント装置の第１のセットに分配すると共に、処理されたメタデータの第２のセットを、機能の第２のセットを有するクライアント装置の第２のセットに分配するように構成される
ことを特徴とする請求項１４に記載のシステム。
【請求項２８】
前記プロセッサが、更に、それぞれ前記処理されたメタデータの第１のセットと前記処理されたメタデータの第２のセットに基づいて、前記クライアント装置の第１のセットと前記クライアント装置の第２のセットの両方において同一の表示用の画面表示を生成するように構成される
ことを特徴とする請求項２７に記載のシステム。